(57)【特許請求の範囲】
【請求項１】
殺菌装置であって、
殺菌水を生成可能な電解槽と、
前記電解槽に水を供給する給水手段と、
前記電解槽への通電と、前記給水手段から前記電解槽への通水と、を制御する制御部と、
を有し、前記電解槽で生成された殺菌水を供給可能な殺菌装置と、
前記電解槽において生成された殺菌水を送出する流路と、
前記流路の下流側に設けられ、前記殺菌水を吐水可能な吐水口を有するノズルと、
を備え、
前記制御部は、前記殺菌水の供給を停止する際に、前記電解槽への通電を停止させた後に、前記給水手段から供給される水を前記電解槽へ所定時間通水させる制御を実行し、
前記所定時間は、前記電解槽内に残留する殺菌水が前記給水手段から供給される水に置換される時間であって、前記殺菌水の供給を停止した後に、前記流路の少なくとも一部に前記殺菌水が保持される時間であることを特徴とする衛生洗浄装置。
【請求項２】
前記殺菌水は、次亜塩素酸を含むことを特徴とする請求項１記載の衛生洗浄装置。
【発明の詳細な説明】
【技術分野】
【０００１】
本発明の態様は、一般的に、衛生洗浄装置に関する。
【背景技術】
【０００２】
殺菌装置の中には、電極を有する電解槽が用いられた殺菌装置がある。ここで、例えば、洋式腰掛便器に腰掛けた使用者の「おしり」などを水で洗浄する衛生洗浄装置に対しては、より一層の清潔性が求められている。
【０００３】
便座に座った使用者の「おしり」などの身体を洗浄する洗浄ノズルは、その洗浄ノズルや温水タンクなどの所定の機能部品を取り付けるケーシングから少なくとも一部を外部に露出（進出）した状態で身体に洗浄水を噴射する。そのため、洗浄ノズルには汚水や汚物が付着するおそれがある。これに対して、身体洗浄を行う前や行った後において、洗浄ノズルに付着した汚水や汚物を洗い流し除去する衛生洗浄装置がある。これにより、洗浄ノズルは清潔に保たれている。
【０００４】
しかしながら、洗浄ノズルに付着した汚水や汚物を洗い流した場合でも、トイレ室のような湿潤な環境においては、時間の経過とともに菌が洗浄ノズルに繁殖する場合がある。より具体的には、便器のボウル面などに発生する例えばピンクスライムなどと呼ばれるメチロバクテリウムや、黒かびなどの細菌が洗浄ノズルに付着し、その洗浄ノズルに菌が繁殖するおそれがある。そして、菌が繁殖することにより、例えばバイオフィルムなどと呼ばれるバクテリアおよびその分泌物の集まり（ぬめり、黒色汚れ）が形成されると、前述したような通常のノズル洗浄では、そのバイオフィルムを除去することが困難となる。
【０００５】
これに対して、ノズル洗浄生成部として電解槽が組み込まれた局部洗浄装置がある（特許文献１）。特許文献１に記載された局部洗浄装置では、洗浄水として水道水を使ったときには、この中に含まれる塩素が電気分解によって次亜塩素酸に化学変化し、酸性の薬液としてクリーニングすることができる。このため、特にアンモニア等による汚れに対して効果的なクリーニングが可能となる。
【０００６】
このとき、電解槽で生成された洗浄水を効率的に利用するためには、電解槽がノズルのより近い部分に設けられることがより好ましい。そこで、温水タンクよりも下流側の流路に電解槽が設けられた局部洗浄装置がある（特許文献２）。特許文献２に記載された局部洗浄装置では、電解槽内の温水が電気分解されて電解水が生成される。そして、ノズル洗浄手段は、おしり洗浄ノズル及びビデ洗浄ノズルに対して温水を洗浄水として噴射する。
【０００７】
しかしながら、温水が電気分解されて電解水が生成されると、いわゆる「スケール」などと呼ばれる炭酸カルシウムなどが生成されやすい。スケールが電解槽の電極に付着すると、電解水の生成能力が低下するという問題がある。
【０００８】
これに対して、特許文献２に記載された局部洗浄装置は、スケールを除去するために、電極への印加電圧の極性を反転させている。また、これと同様に、電解槽の電極の陽極側と陰極側の極性を切り換える極性切り換え手段を備えた電解槽の制御装置がある（特許文献３）。特許文献２および３にそれぞれ記載された局部洗浄装置および電解槽の制御装置によれば、生成されたスケールは、極性反転により電極の表面から剥離される。
【０００９】
しかしながら、極性反転を行うまでに生成されるスケールの量が多いと、流路が比較的狭い衛生洗浄装置では、電極から剥離したスケールにより流路が閉塞するおそれがある。また、局部洗浄を行った後では、温水タンクなどの加熱手段が動作していなくとも、流路および電解槽は、局部洗浄の際の温水で満たされている。そのため、局部洗浄を行った後でもスケールが生成され、そのスケールの量が多くなるおそれがある。一方、極性反転を頻繁に行うと、電解槽の電極がより早く劣化し、その電極の寿命がより短くなるという問題がある。
【先行技術文献】
【特許文献】
【００１０】
【特許文献１】特許第３４８７４４７号公報
【特許文献２】特開２００５−１５５０９８号公報
【特許文献３】特開平１０−３４１５６号公報
【発明の概要】
【発明が解決しようとする課題】
【００１１】
本発明は、かかる課題の認識に基づいてなされたものであり、スケールの発生を抑制することができる衛生洗浄装置を提供することを目的とする。
【課題を解決するための手段】
【００１２】
第１の発明は、殺菌装置であって、殺菌水を生成可能な電解槽と、前記電解槽に水を供給する給水手段と、前記電解槽への通電と、前記給水手段から前記電解槽への通水と、を制御する制御部と、を有し、前記電解槽で生成された殺菌水を供給可能な殺菌装置と、前記電解槽において生成された殺菌水を送出する流路と、前記流路の下流側に設けられ、前記殺菌水を吐水可能な吐水口を有するノズルと、を備え、前記制御部は、前記殺菌水の供給を停止する際に、前記電解槽への通電を停止させた後に、前記給水手段から供給される水を前記電解槽へ所定時間通水させる制御を実行し、前記所定時間は、前記電解槽内に残留する殺菌水が前記給水手段から供給される水に置換される時間であって、前記殺菌水の供給を停止した後に、前記流路の少なくとも一部に前記殺菌水が保持される時間であることを特徴とする衛生洗浄装置である。
【００１３】
制御部が電解槽への通電を停止させた後でも、電解槽の陰極板の近傍の水域は、ｐＨがより高い状態にある。ｐＨがより高い状態にある水域では、炭酸カルシウム（ＣａＣＯ３）などのスケールが生成されやすい。生成されるスケールの量が多いと、例えば殺菌装置の寿命などが影響を受ける。
【００１４】
これに対して、この殺菌装置によれば、制御部は、殺菌水の供給を停止する際に、電解槽への通電を停止させた後に、給水手段から供給される水を電解槽へ所定時間通水させる。これによれば、制御部が電解槽への通電を停止させた後、陰極板の近傍の水域は、給水手段から供給される水により攪拌される。そのため、陰極板の近傍の水域のｐＨは、低下する。これにより、スケールの発生を抑制することができる。
【００１６】
この殺菌装置によれば、電解槽内に残留する殺菌水は、給水手段から供給される水に置き換えられる。そのため、電解槽内の殺菌水は、流水により効率的に攪拌される。これにより、スケールの発生をより抑制することができる。
【００１８】
この殺菌装置によれば、殺菌水は、電解槽よりも下流側の流路の少なくとも一部に保持される。そのため、流路の内部に生存する細菌を殺菌することができる。
この衛生洗浄装置によれば、殺菌装置におけるスケールの発生を抑制しつつ、例えば、使用者の「おしり」などの洗浄を実現する身体洗浄機能部や、衛生洗浄装置を載置する便器などを殺菌することができる。
この衛生洗浄装置によれば、ノズルから殺菌水を吐水することにより、例えば、ノズルの外周表面や吐水口の部分を殺菌することができる。さらに、衛生洗浄装置が便器に載置された場合には、ノズルから殺菌水を吐水することにより便器のボウルの表面を殺菌することができる。
【００１９】
また、第２の発明は、第１の発明において、前記殺菌水は、次亜塩素酸を含むことを特徴とする衛生洗浄装置である。
【００２０】
電解槽により生成される殺菌水は、銀イオンや銅イオンなどの金属イオンを含む液や、電解塩素やオゾンなどを含む液などが挙げられる。これらの中でも、次亜塩素酸を含む水は、より強い殺菌力を有する。そのため、この殺菌装置によれば、より強い殺菌力を有する次亜塩素酸を含む水により対象物を殺菌することができる。
【発明の効果】
【００２５】
本発明の態様によれば、スケールの発生を抑制することができる衛生洗浄装置が提供される。
【図面の簡単な説明】
【００２６】
【図１】本発明の実施の形態にかかる殺菌装置の要部構成を表すブロック図である。
【図２】本実施形態の殺菌水の生成停止動作を例示するフローチャート図である。
【図３】本実施形態の電解槽ユニットを例示する斜視模式図である。
【図４】本実施形態の電解槽ユニットにおける電気分解を説明するための断面模式図である。
【図５】ｐＨの変化に基づく炭酸カルシウムおよび炭酸イオンの溶解量の変化を表すグラフ図である。
【図６】本発明の実施の形態にかかる衛生洗浄装置を備えたトイレ装置を表す斜視模式図である。
【図７】本実施形態にかかる衛生洗浄装置の要部構成を表すブロック図である。
【図８】本実施形態のノズルユニットを例示する斜視模式図である。
【図９】本実施形態にかかる衛生洗浄装置の動作と流路の状態との具体例を表すタイミングチャート図である。
【図１０】本実施形態にかかる衛生洗浄装置の動作と流路の状態との他の具体例を表すタイミングチャート図である。
【図１１】本実施形態にかかる衛生洗浄装置の動作と流路の状態とのさらに他の具体例を表すタイミングチャート図である。
【図１２】本実施形態にかかる衛生洗浄装置のさらに他の動作を説明するための概念模式図である。
【図１３】図１２に表した衛生洗浄装置の動作の具体例を表すタイミングチャート図である。
【発明を実施するための形態】
【００２７】
以下、本発明の実施の形態について図面を参照しつつ説明する。なお、各図面中、同様の構成要素には同一の符号を付して詳細な説明は適宜省略する。  
図１は、本発明の実施の形態にかかる殺菌装置の要部構成を表すブロック図である。
【００２８】
本実施形態の殺菌装置４０は、例えば水道や貯水タンクなどの給水源１０から供給された水を導く流路２０と、給水源１０からの水の供給を制御する電磁弁（給水手段）４３１と、殺菌水を生成する電解槽ユニット（電解槽）４５０と、電磁弁４３１および電解槽ユニット４５０の動作を制御する制御部４０５と、を備える。
【００２９】
電磁弁４３１は、例えば開閉可能な電磁バルブである。電磁弁４３１は、制御部４０５からの指令に基づいて開閉し、電解槽ユニット４５０への水の供給を制御する。  
電解槽ユニット４５０は、電磁弁４３１の下流側に設けられている。電解槽ユニット４５０については、後に詳述する。
【００３０】
図２は、本実施形態の殺菌水の供給停止動作を例示するフローチャート図である。  
本実施形態の制御部４０５は、所定のタイミングに応じて殺菌水の供給を停止させる制御を実行する（ステップＳ１０）。制御部４０５は、殺菌水の供給を停止させる際には、まず電解槽ユニット４５０への通電を停止させる（ステップＳ１１）。これにより、電解槽ユニット４５０において殺菌水が生成されなくなる。
【００３１】
後に詳述するが、制御部４０５が電解槽ユニット４５０への通電を停止させた後でも、電解槽ユニット４５０の陰極板４５５（図３参照）の近傍の水域は、ｐＨ（ペーハ：水素イオン濃度）がより高い状態にある。ｐＨがより高い状態にある水域では、炭酸カルシウム（ＣａＣＯ３）などのスケールが生成されやすい。生成されるスケールの量が多いと、例えば殺菌装置４０の寿命などが影響を受ける。
【００３２】
これに対して、本実施形態では、制御部４０５は、殺菌水の供給を停止する際に、電解槽ユニット４５０への通電を停止させた後に、電磁弁４３１から供給される水を電解槽ユニット４５０へ所定時間通水させる。そして、所定時間が経過すると、制御部４０５は、電磁弁４３１を閉じる制御を実行する（ステップＳ１３）。
【００３３】
これによれば、制御部４０５が電解槽ユニット４５０への通電を停止させた後、陰極板４５５の近傍の水域は、電磁弁４３１から供給される水により攪拌される。そのため、陰極板４５５の近傍の水域のｐＨは、低下する。これにより、スケールの発生を抑制することができる。
【００３４】
なお、制御部４０５は、電解槽ユニット４５０への通電を停止させるタイミングと同時にあるいはその後に一瞬だけ電磁弁４３１を閉じ、再び電磁弁４３１を開いて電解槽ユニット４５０へ水を通水させてもよい。つまり、制御部４０５は、電解槽ユニット４５０への通電を停止させたときに、電解槽ユニット４５０への通水を継続させておく必要はない。
【００３５】
また、制御部４０５が電解槽ユニット４５０への通電を停止させてから電磁弁４３１を閉じる制御を実行するまでの所定時間が長いと、電解槽ユニット４５０よりも下流側の流路２０にある殺菌水が電磁弁４３１から供給される水に置換される。そうすると、電解槽ユニット４５０よりも下流側の流路２０に殺菌水を保持することができない。そのため、流路２０の内部に生存する細菌を殺菌するという点においては、制御部４０５が電解槽ユニット４５０への通電を停止させてから電磁弁４３１を閉じる制御を実行するまでの所定時間は、最低限度の時間であることがより好ましい。
【００３６】
そこで、本実施形態では、制御部４０５が電解槽ユニット４５０への通電を停止させてから電磁弁４３１を閉じる制御を実行するまでの所定時間は、例えば、電解槽ユニット４５０内に残留する殺菌水が電磁弁４３１から供給される水に置換される時間である。これによれば、電解槽ユニット４５０内の殺菌水は、流水により効率的に攪拌されるため、スケールの発生をより抑制することができる。また、これによれば、電解槽ユニット４５０よりも下流側の流路２０の少なくとも一部に殺菌水を保持することができるため、流路２０の内部に生存する細菌を殺菌することができる。
【００３７】
あるいは、制御部４０５が電解槽ユニット４５０への通電を停止させてから電磁弁４３１を閉じる制御を実行するまでの所定時間は、電解槽ユニット４５０の陰極板４５５の近傍の水域が攪拌される時間である。これによれば、電解槽ユニット４５０の内部および電解槽ユニット４５０よりも下流側の流路２０の少なくとも一部に殺菌水を保持することができる。そのため、電解槽ユニット４５０および流路２０の内部に生存する細菌を殺菌することができる。
【００３８】
図３は、本実施形態の電解槽ユニットを例示する斜視模式図である。  
なお、図３（ａ）は、本実施形態の電解槽ユニットの外観を例示する斜視模式図であり、図３（ｂ）は、本実施形態の電解槽ユニットの内部構造を例示する分解模式図である。
【００３９】
本実施形態の電解槽ユニット４５０は、第１の蓋部材４５１と、第２の蓋部材４５２と、陽極板４５４と、陰極板４５５と、を有する。第１の蓋部材４５１は、給水源１０から供給された水を電解槽ユニット４５０の内部に流入させる流入部４５１ａを有する。この流入部４５１ａは、図３（ａ）および図３（ｂ）に表したように、第１の蓋部材４５１の下部に設けられている。一方、第２の蓋部材４５２は、電解槽ユニット４５０の内部に流入した水を外部に流出させる流出部４５２ａを有する。この流出部４５２ａは、図３（ａ）および図３（ｂ）に表したように、第２の蓋部材４５２の上部に設けられている。第１の蓋部材４５１および第２の蓋部材４５２は、互いに液密に取り付けられ、流入部４５１ａから流入した水が流出部４５２ａ以外から外部に流出することを防止できる。
【００４０】
陽極板４５４および陰極板４５５は、第１の蓋部材４５１と、第２の蓋部材４５２と、の間に設けられ、図３（ｂ）に表したように互いに対向して配置されている。このとき、陽極板４５４と、陰極板４５５と、の間にはスペーサ４５７が設けられている。これにより、陽極板４５４と、陰極板４５５と、の間の距離は、略一定の距離に確保されている。また、陽極板４５４は、電極面から突出した接続端子４５４ａを有する。この接続端子４５４ａは、図３（ａ）に表したように、第１の蓋部材４５１を通して電解槽ユニット４５０の外部に導出されている。図示していないが、これは、陰極板４５５についても同様である。つまり、陰極板４５５は、電極面から突出した図示しない接続端子を有し、その図示しない接続端子は、第２の蓋部材４５２を通して電解槽ユニット４５０の外部に導出されている。
【００４１】
給水源１０から電磁弁４３１を介して電解槽ユニット４５０に供給された水は、図３（ａ）に表した矢印Ａのように、第１の蓋部材４５１の流入部４５１ａから電解槽ユニット４５０の内部に導かれる。続いて、流入部４５１ａから電解槽ユニット４５０の内部に流入した水は、陽極板４５４と、陰極板４５５と、の間の空間（流路）を流れ、図３（ａ）に表した矢印Ｂのように、第２の蓋部材４５２の流出部４５２ａから電解槽ユニット４５０の外部に排出される。この際、制御部４０５が陽極板４５４および陰極板４５５に通電している場合には、陽極板４５４と、陰極板４５５と、の間の空間を流れる水は電気分解される。これについて、図面を参照しつつ、さらに詳細に説明する。
【００４２】
図４は、本実施形態の電解槽ユニットにおける電気分解を説明するための断面模式図である。  
また、図５は、ｐＨの変化に基づく炭酸カルシウムおよび炭酸イオンの溶解量の変化を表すグラフ図である。
【００４３】
電解槽ユニット４５０は、図３に関して前述したように、その内部に陽極板４５４および陰極板４５５を有し、制御部４０５からの通電の制御によって、陽極板４５４と、陰極板４５５と、の間の空間を流れる水道水を電気分解できる。この際、陰極板４５５では、式（１）に表した反応が生ずる。
Ｈ＋＋ｅ−  →  １／２Ｈ２↑                 ・・・（１）
【００４４】
そのため、陰極板４５５においては酸（Ｈ＋）が消費され、陰極板４５５の近傍ではｐＨが上昇する。ｐＨが上昇すると、図５に表したように、炭酸イオン（ＣＯ３２−）の溶解量は上昇する。ｐＨの上昇に伴い、炭酸（Ｈ２ＣＯ３）が水素イオン（Ｈ＋）を放出し炭酸イオン（ＣＯ３２−）を生成し、式（２）に表した反応が生ずる。そして、発生した炭酸イオン（ＣＯ３２−）と水道水中に存在するカルシウムイオン（Ｃａ２＋）が結合し、式（３）に表した反応が生ずる。つまり、ｐＨの上昇が、図５に表したように、炭酸カルシウム（ＣａＣＯ３：スケール）生成（溶解度低下による析出）を引き起こす。
Ｈ２ＣＯ３  →  ２Ｈ＋＋ＣＯ３２−              ・・・（２）
Ｃａ２＋＋ＣＯ３２−  →  ＣａＣＯ３            ・・・（３）
【００４５】
一方、陽極板４５４では、式（４）に表した反応が生ずる。また、水道水は、塩素イオン（Ｃｌ−）を含んでいる。この塩素イオンは、水源（例えば、地下水や、ダムの水や、河川などの水）に食塩（ＮａＣｌ）や塩化カルシウム（ＣａＣｌ２）として含まれている。そのため、式（５）に表した反応が生ずる。
２ＯＨ−  →  ２ｅ−＋Ｈ２Ｏ＋１／２Ｏ２↑    ・・・（４）
Ｃｌ−  →  ｅ−＋１／２Ｃｌ２               ・・・（５）
【００４６】
式（５）において発生した塩素は、気泡としては存在しにくく、ほとんどの塩素は水に溶解する。そのため、式（５）において発生した塩素については、式（６）に表した反応が生ずる。このようにして、塩素イオンを電気分解することにより次亜塩素酸（ＨＣｌＯ）が生成される。その結果、電解槽ユニット４５０において電気分解された水は、次亜塩素酸を含む液に変化する。なお、陽極板４５４においてはアルカリ（ＯＨ−）が消費されるため、陽極板４５４の近傍ではｐＨが下降する。
Ｃｌ２＋Ｈ２Ｏ  →  ＨＣｌＯ＋Ｈ＋＋Ｃｌ−    ・・・（６）
【００４７】
ここで、電解槽ユニット４５０において生成される殺菌水は、銀イオンや銅イオンなどの金属イオンを含む液であってもよい。あるいは、電解槽ユニット４５０において生成される殺菌水は、電解塩素やオゾンなどを含む液であってもよい。あるいは、電解槽ユニット４５０において生成される殺菌水は、酸性水やアルカリ水であってもよい。これらの中でも、次亜塩素酸を含む液は、より強い殺菌力を有する。以下、電解槽ユニット４５０において生成される殺菌水が次亜塩素酸を含む液である場合を例に挙げて説明する。
【００４８】
次亜塩素酸は、殺菌成分として機能し、その次亜塩素酸を含む液すなわち殺菌水は、アンモニアなどによる汚れを効率的に除去あるいは分解したり、殺菌することができる。ここで、本願明細書において「殺菌水」とは、次亜塩素酸などの殺菌成分を水道水（単に「水」ともいう）よりも多く含む液をいうものとする。
【００４９】
このように、電解槽ユニット４５０が次亜塩素酸を含む液すなわち殺菌水を生成するために水道水を電気分解すると、炭酸カルシウム（ＣａＣＯ３）などのスケールが陰極板４５５の近傍で生成される。また、制御部４０５が陽極板４５４および陰極板４５５への通電を停止させた後でも、陰極板４５５の近傍の水域は、ｐＨがより高い状態にある。ｐＨがより高い状態にある水域では、炭酸カルシウム（ＣａＣＯ３）などのスケールが生成されやすい。スケールが生成され、電解槽ユニット４５０の陽極板４５４および陰極板４５５の表面に付着すると、次亜塩素酸の生成効率が低下するおそれがある。また、殺菌装置４０の寿命が短くなるおそれがある。
【００５０】
これに対して、本実施形態では、制御部４０５は、殺菌水の供給を停止する際に、陽極板４５４および陰極板４５５への通電を停止させた後に、電磁弁４３１から供給される水を電解槽ユニット４５０へ所定時間通水させる。そして、所定時間が経過すると、制御部４０５は、電磁弁４３１を閉じる制御を実行する。  
これによれば、制御部４０５が陽極板４５４および陰極板４５５への通電を停止させた後、陰極板４５５の近傍の水域は、電磁弁４３１から供給される水により攪拌される。そのため、陰極板４５５の近傍の水域のｐＨは、低下する。これにより、スケールの発生を抑制することができる。
【００５１】
次に、本発明の他の実施の形態について説明する。  
図６は、本発明の実施の形態にかかる衛生洗浄装置を備えたトイレ装置を表す斜視模式図である。  
また、図７は、本実施形態にかかる衛生洗浄装置の要部構成を表すブロック図である。  なお、図７は、水路系と電気系の要部構成を併せて表している。
【００５２】
図７に表したトイレ装置は、洋式腰掛便器（以下説明の便宜上、単に「便器」と称する）８００と、その上に設けられた衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００５３】
ケーシング４００の内部には、図１〜図５に関して前述した殺菌装置４０が内蔵されている。  
また、ケーシング４００の内部には、便座２００に座った使用者の「おしり」などの洗浄を実現する身体洗浄機能部などが内蔵されている。また、例えばケーシング４００には、使用者が便座２００に座ったことを検知する着座検知センサ（人体検知手段）４０４が設けられている。着座検知センサ４０４が便座２００に座った使用者を検知している場合において、使用者が例えばリモコンなどの操作部５００を操作すると、洗浄ノズル（以下説明の便宜上、単に「ノズル」と称する）４７３を便器８００のボウル８０１内に進出させることができる。なお、図６に表した衛生洗浄装置１００では、ノズル４７３がボウル８０１内に進出した状態を表している。
【００５４】
ノズル４７３の先端部には、ひとつあるいは複数の吐水口４７４が設けられている。そして、ノズル４７３は、その先端部に設けられた吐水口４７４から水を噴射して、便座２００に座った使用者の「おしり」などを洗浄することができる。
【００５５】
より具体的に説明すると、本実施形態にかかる衛生洗浄装置１００は、図７に表したように、水道や貯水タンクなどの給水源１０から供給された水をノズル４７３の吐水口４７４に導く流路２０を有する。流路２０の上流側には、電磁弁４３１が設けられている。電磁弁４３１は、開閉可能な電磁バルブであり、ケーシング４００の内部に設けられた制御部４０５からの指令に基づいて水の供給を制御する。なお、本実施形態において、流路２０は、電磁弁４３１から下流側の２次側とする。
【００５６】
電磁弁４３１の下流には、熱交換器ユニット４４０が設けられている。熱交換器ユニット４４０は、温水ヒータ４４１を有する。温水ヒータ４４１は、供給された水を加熱し、所定の温水にする。温水ヒータ４４１の上流側には図示しない入水サーミスタが設けられ、温水ヒータ４４１の下流側には図示しない温水サーミスタが設けられている。なお、温水温度については、例えば、使用者が操作部５００を操作することにより設定することができる。
【００５７】
温水ヒータ４４１の下流には、殺菌水を生成可能な電解槽ユニット４５０が設けられている。ノズル４７３や、電解槽ユニット４５０よりも下流側の流路２０は、電解槽ユニット４５０において生成された殺菌水により殺菌される。電解槽ユニット４５０は、図３〜図５に関して前述した如くである。
【００５８】
電解槽ユニット４５０の下流には、圧力変調装置４６０が設けられている。この圧力変調装置４６０は、流路２０内の水の流れに脈動を与え、ノズル４７３の吐水口４７４から吐水される水に脈動を与えることができる。但し、本発明においては、圧力変調装置４６０は、必ずしも設けられていなくともよい。
【００５９】
圧力変調装置４６０の下流には、水勢（流量）の調整を行う流量切替弁４７１と、ノズル４７３やノズル洗浄室４７８への給水の開閉や切替を行う流路切替弁４７２と、が設けられている。なお、流量切替弁４７１および流路切替弁４７２は、１つのユニットとして設けられていてもよい。続いて、流量切替弁４７１および流路切替弁４７２の下流には、ノズル４７３が設けられている。
【００６０】
ノズル４７３は、前述したように、水を噴射して便座２００に座った使用者の「おしり」などを洗浄できる。これに対して、電解槽ユニット４５０において生成された殺菌水を流路切替弁４７２から便器８００のボウル８０１の表面に吐水する殺菌水吐水ノズルが、ノズル４７３とは別体として設けられていてもよい。この場合には、図示しない殺菌水吐水ノズルは、電解槽ユニット４５０よりも下流側の流路２０に設けられる。衛生洗浄装置１００は、一般的には、便器８００の上に設置され利用される。そのため、ボウル８０１の表面に殺菌水を吐水する殺菌水吐水ノズルが設けられている場合には、殺菌装置４０を有する衛生洗浄装置１００は、便器８００のボウル８０１の表面に存在する菌を殺菌する装置としても有効に利用され得る。
【００６１】
ノズル４７３は、ノズルモータ４７６からの駆動力を受け、便器８００のボウル８０１内に進出したり後退することができる。つまり、ノズルモータ４７６は、制御部４０５からの指令に基づいてノズル４７３を進退させることができる。  
そして、制御部４０５は、電源回路４０１から電力を供給され、トイレ室への使用者の入室を検知する入室検知センサ（人体検知手段）４０２や、便座２００の前方にいる使用者を検知する人体検知センサ（人体検知手段）４０３や、便座２００への使用者の着座を検知する着座検知センサ４０４や、操作部５００などからの信号に基づいて、電磁弁４３１や、温水ヒータ４４１や、電解槽ユニット４５０や、流量切替弁４７１や流路切替弁４７２や、ノズルモータ４７６の動作を制御することができる。
【００６２】
着座検知センサ４０４は、使用者が便座２００に着座する直前において便座２００の上方に存在する人体や、便座２００に着座した使用者を検知することができる。すなわち、着座検知センサ４０４は、便座２００に着座した使用者だけではなく、便座２００の上方に存在する使用者を検知することができる。このような着座検知センサ４０４としては、例えば、赤外線投受光式の測距センサなどを用いることができる。
【００６３】
また、人体検知センサ４０３は、便器８００の前方にいる使用者、すなわち便座２００から前方へ離間した位置に存在する使用者を検知することができる。つまり、人体検知センサ４０３は、トイレ室に入室して便座２００に近づいてきた使用者を検知することができる。このような人体検知センサ４０３としては、例えば、赤外線投受光式の測距センサなどを用いることができる。
【００６４】
また、入室検知センサ４０２は、トイレ室のドアを開けて入室した直後の使用者や、トイレ室に入室しようとしてドアの前に存在する使用者を検知することができる。つまり、入室検知センサ４０２は、トイレ室に入室した使用者だけではなく、トイレ室に入室する前の使用者、すなわちトイレ室の外側のドアの前に存在する使用者を検知することができる。このような入室検知センサ４０２としては、焦電センサや、ドップラーセンサなどのマイクロ波センサなどを用いることができる。マイクロ波のドップラー効果を利用したセンサや、マイクロ波を送信し反射したマイクロ波の振幅（強度）に基づいて被検知体を検出するセンサなどを用いた場合、トイレ室のドア越しに使用者の存在を検知することが可能となる。つまり、トイレ室に入室する前の使用者を検知することができる。
【００６５】
図６に表したトイレ装置では、ケーシング４００の上面に凹設部４０９が形成され、この凹設部４０９に一部が埋め込まれるように入室検知センサ４０２が設けられている。入室検知センサ４０２は、便蓋３００が閉じた状態では、その基部付近に設けられた透過窓３１０を介して使用者の入室を検知する。そして、例えば、入室検知センサ４０２が使用者を検知すると、制御部４０５は、入室検知センサ４０２の検知結果に基づいて便蓋３００を自動的に開くことができる。また、着座検知センサ４０４および人体検知センサ４０３は、ケーシング４００の前方の中央部に設けられている。但し、着座検知センサ４０４、人体検知センサ４０３、および入室検知センサ４０２の設置形態は、これだけに限定されるわけではなく、適宜変更することができる。
【００６６】
また、ケーシング４００には、便座２００に座った使用者の「おしり」などに向けて温風を吹き付けて乾燥させる「温風乾燥機能」や「脱臭ユニット」や「室内暖房ユニット」などの各種の機構が適宜設けられていてもよい。この際、ケーシング４００の側面には、脱臭ユニットからの排気口４０７及び室内暖房ユニットからの排出口４０８が適宜設けられる。ただし、本発明においては、脱臭ユニットや室内暖房ユニットなどの付加機能部は必ずしも設けなくてもよい。
【００６７】
図８は、本実施形態のノズルユニットを例示する斜視模式図である。  
本実施形態のノズルユニット４７０は、図８に表したように、基台としての取付台４７５と、取付台４７５に支持されたノズル４７３と、ノズル４７３を移動させるノズルモータ４７６と、を有する。ノズル４７３は、図８に表した矢印Ｃのように、ベルトなどの伝動部材４７７を介してノズルモータ４７６から伝達される駆動力により、取付台４７５に対して摺動自在に設けられている。すなわち、ノズル４７３は、ノズル４７３自身の軸方向（進退方向）に直進移動することができる。そして、ノズル４７３は、ケーシング４００および取付台４７５から進退自在に移動できる。
【００６８】
また、本実施形態のノズルユニット４７０には、ノズル洗浄室４７８が設けられている。ノズル洗浄室４７８は、取付台４７５に対して固定され、その内部に設けられた吐水部４７９から殺菌水あるいは水を噴射することにより、ノズル４７３の外周表面（胴体）を殺菌あるいは洗浄することができる。すなわち、制御部４０５が電解槽ユニット４５０の陽極板４５４および陰極板４５５に通電させることにより殺菌水を生成させる場合には、ノズル４７３の胴体は、吐水部４７９から噴射される殺菌水により殺菌される。一方で、制御部４０５が電解槽ユニット４５０の陽極板４５４および陰極板４５５に通電させない場合には、ノズル４７３の胴体は、吐水部４７９から噴射される水により物理的に洗浄される。
【００６９】
より具体的には、ノズル４７３がケーシング４００に収納された状態において、ノズル４７３の吐水口４７４の部分はノズル洗浄室４７８の中にほぼ収容されている。そのため、ノズル洗浄室４７８は、その内部に設けられた吐水部４７９から殺菌水あるいは水を噴射することにより、収納された状態のノズル４７３の吐水口４７４の部分を殺菌あるいは洗浄することができる。また、ノズル洗浄室４７８は、ノズル４７３の進退時において吐水部４７９から水あるいは殺菌水を噴射することにより、吐水口４７４の部分だけではなく他の部分の外周表面を殺菌あるいは洗浄することができる。
【００７０】
また、本実施形態のノズル４７３は、ノズル４７３がケーシング４００に収納された状態において、ノズル４７３自身が有する吐水口４７４から殺菌水あるいは水を吐水することにより吐水口４７４の部分を殺菌あるいは洗浄することができる。さらに、ノズル４７３がケーシング４００に収納された状態では、ノズル４７３の吐水口４７４の部分はノズル洗浄室４７８の中にほぼ収容されているため、ノズル４７３の吐水口４７４から吐水された殺菌水あるいは水は、ノズル洗浄室４７８の内壁により反射して吐水口４７４の部分にかかる。そのため、ノズル４７３の吐水口４７４の部分は、ノズル洗浄室４７８の内壁で反射した殺菌水あるいは水によっても殺菌あるいは洗浄される。
【００７１】
図９は、本実施形態にかかる衛生洗浄装置の動作と流路の状態との具体例を表すタイミングチャート図である。  
なお、図９に表した流路の状態は、電解槽ユニット４５０よりも下流側の流路２０の内部の状態を表している。これは、図１０および図１１に関して後述する流路の状態についても同様である。
【００７２】
まず、着座検知センサ４０４が便座２００に着座した使用者を検知すると、制御部４０５は、電磁弁４３１を開く制御を実行し、流路２０に上水を供給させる（タイミングｔ１０１）。このときには、制御部４０５は、電解槽ユニット４５０には通電させず殺菌水を生成させない。また、このとき、衛生洗浄装置１００は、温水ヒータ４４１を動作させる。そのため、流路２０内の水は、便器８００のボウル８０１に排出され、温水ヒータ４４１により加熱された温水に置換される。つまり、制御部４０５は、温水ヒータ４４１を動作させ、吐水口４７４から水を排出させる温水準備を開始させる（タイミングｔ１０１）。なお、温水準備の実行時間は、例えば約６〜１５秒程度である。また、本願明細書において「上水」という場合には、冷水のみならず、加熱されたお湯も含むものとする。
【００７３】
続いて、使用者が操作部５００に設けられた図示しない「おしり洗浄スイッチ」を押すと（タイミングｔ１０２）、制御部４０５は、身体洗浄を実行する信号を受信する。そして、制御部４０５は、まず上水により「前洗浄」を実行させる（タイミングｔ１０２〜ｔ１０３）。より具体的には、制御部４０５は、流量切替弁４７１および流路切替弁４７２を制御することにより、複数の全ての吐水口４７４から上水を吐水させ、それらの吐水口４７４を洗浄させる。このときには、制御部４０５は、電解槽ユニット４５０には通電させず殺菌水を生成させていない。そのため、複数の吐水口４７４の部分は、吐水口４７４自身が吐水した上水（ノズル洗浄室４７８の内壁で反射した上水を含む）により物理的に洗浄される。なお、前洗浄の実行時間は、例えば約２〜７秒程度である。
【００７４】
続いて、制御部４０５は、流量切替弁４７１および流路切替弁４７２を制御することによりノズル洗浄室４７８に設けられた吐水部４７９から上水を噴射させつつ、ノズル４７３をボウル８０１内に進出させる。そのため、ノズル４７３の胴体は、吐水部４７９から噴射された上水により洗浄される（タイミングｔ１０３〜ｔ１０４）。このときにも、制御部４０５は、電解槽ユニット４５０には通電させず殺菌水を生成させていない。そのため、ノズル４７３の胴体は、吐水部４７９から噴射された上水により物理的に洗浄される。なお、ノズル４７３の進出時間は、例えば約１．２〜２．５秒程度である。
【００７５】
続いて、制御部４０５は、流量切替弁４７１および流路切替弁４７２を制御することにより「おしり洗浄」用の吐水口４７４から上水を噴射させ、便座２００に着座した使用者の「おしり」を洗浄させる（タイミングｔ１０４〜ｔ１０５）。このとき、制御部４０５は、電解槽ユニット４５０には通電させず殺菌水を生成させていない。そのため、殺菌水が使用者の身体に噴射されることはない。また、温水ヒータ４４１が動作しているため、使用者の身体は、温水ヒータ４４１により加熱された温水で洗浄される。
【００７６】
続いて、使用者が操作部５００により図示しない「止スイッチ」を押すと（タイミングｔ１０５）、制御部４０５は、圧抜きの制御を実行する（タイミングｔ１０５〜ｔ１０６）。そして、制御部４０５は、流量切替弁４７１および流路切替弁４７２を制御することによりノズル洗浄室４７８に設けられた吐水部４７９から上水を噴射させつつ、ノズル４７３をケーシング４００内に収納させる（タイミングｔ１０６〜ｔ１０７）。つまり、制御部４０５は、ノズルの進出時と同様に、吐水部４７９から噴射された上水によりノズル４７３の胴体を物理的に洗浄させる。なお、ノズル４７３の収納時間は、例えば約１．２〜２．５秒程度である。
【００７７】
続いて、ノズル４７３がケーシング４００に収納された状態において、制御部４０５は、流量切替弁４７１および流路切替弁４７２を制御することにより、複数の全ての吐水口４７４から上水を吐水させ、それらの吐水口４７４の「後洗浄」を実行させる（タイミングｔ１０７〜ｔ１０８）。このときには、制御部４０５は、電解槽ユニット４５０には通電せず殺菌水を生成させていない。そのため、複数の吐水口４７４の部分は、吐水口４７４自身が吐水した上水（ノズル洗浄室４７８の内壁で反射した上水を含む）により物理的に洗浄される。なお、後洗浄の実行時間は、例えば約３秒程度である。
【００７８】
続いて、制御部４０５は、電磁弁４３１を閉じる制御を実行する（タイミングｔ１０８）。そして、衛生洗浄装置１００は、そのまましばらく待機する。（タイミングｔ１０８〜ｔ１０９）。  
続いて、着座検知センサ４０４が便座２００に着座した使用者を検知しなくなってから所定時間（ここでは、例えば約２５秒間程度）が経過すると、制御部４０５は、電解槽ユニット４５０への通電を開始させ、電解槽ユニット４５０において殺菌水を生成させる（タイミングｔ１０９）。
【００７９】
さらに、制御部４０５は、電磁弁４３１を開く制御を実行し、電解槽ユニット４５０よりも下流側の流路２０に殺菌水を供給させる（タイミングｔ１０９）。これにより、電解槽ユニット４５０よりも下流側の流路２０は、殺菌水により殺菌される。また、制御部４０５は、流量切替弁４７１および流路切替弁４７２を制御することにより、複数の全ての吐水口４７４から殺菌水を吐水させ、それらの吐水口４７４の「前殺菌」を実行させる（タイミングｔ１０９〜ｔ１１０）。そのため、複数の吐水口４７４の部分は、吐水口４７４自身が吐水した殺菌水（ノズル洗浄室４７８の内壁で反射した殺菌水を含む）により殺菌される。なお、前殺菌の実行時間は、例えば約３秒程度である。
【００８０】
続いて、制御部４０５は、流量切替弁４７１および流路切替弁４７２を制御することによりノズル洗浄室４７８に設けられた吐水部４７９から殺菌水を噴射させつつ、ノズル４７３をボウル８０１内に進出させ、その後にケーシング４００に収納させる（タイミングｔ１１０〜ｔ１１１）。つまり、制御部４０５は、吐水部４７９から噴射された殺菌水によりノズル４７３の「胴体洗浄」を実行させる（タイミングｔ１１０〜ｔ１１１）。これにより、電解槽ユニット４５０よりも下流側の流路２０の内部およびノズル４７３の胴体は、殺菌水により殺菌される。なお、殺菌水による胴体洗浄の実行時間は、例えば約５秒程度である。
【００８１】
続いて、ノズル４７３がケーシング４００に収納された状態において、制御部４０５は、流量切替弁４７１および流路切替弁４７２を制御することにより、複数の全ての吐水口４７４から殺菌水を吐水させ、それらの吐水口４７４の「後殺菌」を実行させる（タイミングｔ１１１〜ｔ１１２）。そのため、複数の吐水口４７４の部分は、吐水口４７４自身が吐水した殺菌水（ノズル洗浄室４７８の内壁で反射した殺菌水を含む）により殺菌される。なお、後殺菌の実行時間は、例えば約３秒程度である。
【００８２】
続いて、制御部４０５は、電解槽ユニット４５０への通電を停止させる（タイミングｔ１１２）。そして、所定時間が経過すると、制御部４０５は、電磁弁４３１を閉じる制御を実行する（タイミングｔ１１３）。つまり、制御部４０５は、殺菌水の供給を停止する際に、電解槽ユニット４５０への通電を停止させた後に、電磁弁４３１から供給される水を電解槽ユニット４５０へ所定時間通水させる。これにより、制御部４０５が電解槽ユニット４５０への通電を停止させた後、陰極板４５５の近傍の水域は、電磁弁４３１から供給される水により攪拌される。そのため、陰極板４５５の近傍の水域のｐＨは、低下する。これにより、スケールの発生を抑制することができる。
【００８３】
タイミングｔ１１２とタイミングｔ１１３との間の所定時間は、図２に関して前述したように、例えば、電解槽ユニット４５０内に残留する殺菌水が電磁弁４３１から供給される水に置換される時間である。あるいは、タイミングｔ１１２とタイミングｔ１１３との間の時間は、電解槽ユニット４５０の陰極板４５５の近傍の水域が攪拌される時間である。
【００８４】
そのため、電解槽ユニット４５０において生成された殺菌水は、流路２０の少なくとも一部に所定時間保持される（タイミングｔ１１３〜ｔ１１４）。これにより、使用者が「おしり洗浄」を実行した後において、流路２０の内部を殺菌することができる。そして、ここにいう所定時間とは、例えば約６０分程度である。このように、本実施形態にかかる衛生洗浄装置１００は、流路２０の少なくとも一部に殺菌水をより長い時間保持するため、流路２０の内部に生存する細菌をより確実に殺菌することができる。
【００８５】
続いて、所定時間が経過すると、制御部４０５は、「水抜き」を実行させる（タイミングｔ１１４〜ｔ１１５）。つまり、制御部４０５は、流路２０の内部の殺菌水を抜き、流路２０の内部を空にさせる。この「水抜き」の実行時間は、例えば約３０秒程度である。
【００８６】
続いて、電解槽ユニット４５０において生成された殺菌水は、タイミングｔ１１３〜ｔ１１４に関して前述した動作と同様に、流路２０の少なくとも一部に所定時間保持される（タイミングｔ１１５〜ｔ１１６）。  
続いて、衛生洗浄装置１００が最後に使用されてから所定時間（ここでは、例えば８時間程度）が経過すると、制御部４０５は、タイミングｔ１０９〜ｔ１１０およびタイミングｔ１１１〜ｔ１１２に関して前述した動作と同様に、「前殺菌」および「後殺菌」を実行させる（タイミングｔ１１６〜ｔ１１７およびタイミングｔ１１７〜ｔ１１８）。
【００８７】
図１０は、本実施形態にかかる衛生洗浄装置の動作と流路の状態との他の具体例を表すタイミングチャート図である。  
まず、着座検知センサ４０４が便座２００に着座した使用者を検知すると、制御部４０５は、電磁弁４３１を開く制御を実行する（タイミングｔ２０１）。さらに、制御部４０５は、電解槽ユニット４５０への通電を開始させ、電解槽ユニット４５０において殺菌水を生成させる（タイミングｔ２０１）。そして、制御部４０５は、流量切替弁４７１および流路切替弁４７２を制御することにより、複数の全ての吐水口４７４から殺菌水を吐水し、吐水口４７４の部分の「前洗浄」を実行させる（タイミングｔ２０１〜ｔ２０２）。このとき、殺菌水が吐水口４７４から吐水されているため、流路２０の内部および吐水口４７４の部分は、殺菌水により殺菌される。なお、殺菌水による前洗浄の実行時間は、例えば約６〜１５秒程度である。
【００８８】
続いて、制御部４０５は、電解槽ユニット４５０への通電を停止させる（タイミングｔ２０２）。そして、所定時間が経過すると、制御部４０５は、電磁弁４３１を閉じる制御を実行する（タイミングｔ２０３）。その後、制御部４０５は、図示しない「おしり洗浄スイッチ」が使用者により押されるまで待機し、吐水口４７４から吐水する水の温度を保温させる（タイミングｔ２０３〜ｔ２０４）。
【００８９】
つまり、制御部４０５は、殺菌水の供給を停止する際に、電解槽ユニット４５０への通電を停止させた後に、電磁弁４３１から供給される水を電解槽ユニット４５０へ所定時間通水させる。これにより、制御部４０５が電解槽ユニット４５０への通電を停止させた後、陰極板４５５の近傍の水域は、電磁弁４３１から供給される水により攪拌される。そのため、陰極板４５５の近傍の水域のｐＨは、低下する。これにより、スケールの発生を抑制することができる。
【００９０】
タイミングｔ２０２とタイミングｔ２０３との間の所定時間は、図２に関して前述したように、例えば、電解槽ユニット４５０内に残留する殺菌水が電磁弁４３１から供給される水に置換される時間である。あるいは、タイミングｔ２０２とタイミングｔ２０３との間の時間は、電解槽ユニット４５０の陰極板４５５の近傍の水域が攪拌される時間である。
【００９１】
そのため、電解槽ユニット４５０において生成された殺菌水は、流路２０の少なくとも一部に所定時間保持される（タイミングｔ２０３〜ｔ２０４）。これにより、使用者が「おしり洗浄」を実行する前において、流路２０の内部を殺菌することができる。なお、殺菌水が流路２０の内部に保持される所定時間（タイミングｔ２０３〜ｔ２０４の間の時間）は、例えば使用者の用便行為の時間などにより変化する。
【００９２】
続いて、使用者が図示しない「おしり洗浄スイッチ」を押すと（タイミングｔ２０４）、制御部４０５は、身体洗浄を実行する信号を受信する。そして、制御部４０５は、まず水により「前洗浄」を実行させる（タイミングｔ２０４〜ｔ２０５）。より具体的には、制御部４０５は、電磁弁４３１を開く制御を実行する（タイミングｔ２０４）。さらに、制御部４０５は、流量切替弁４７１および流路切替弁４７２を制御することにより、複数の全ての吐水口４７４から水を吐水し、それらの吐水口４７４を洗浄する。このときには、制御部４０５は、電解槽ユニット４５０には通電させず殺菌水を生成させていない。そのため、複数の吐水口４７４の部分は、吐水口４７４自身が吐水した水（ノズル洗浄室４７８の内壁で反射した水を含む）により物理的に洗浄される。
【００９３】
言い換えれば、流路２０の内部に保持されていた殺菌水は、新たに供給される水により置換され吐水口４７４から排水される。なお、水による前洗浄の実行時間は、例えば約２〜７秒程度である。
【００９４】
続いて、制御部４０５は、流量切替弁４７１および流路切替弁４７２を制御することによりノズル洗浄室４７８に設けられた吐水部４７９から水を噴射させつつ、ノズル４７３をボウル８０１内に進出させる。そのため、ノズル４７３の胴体は、吐水部４７９から噴射された水により洗浄される（タイミングｔ２０５〜ｔ２０６）。このときにも、制御部４０５は、電解槽ユニット４５０には通電させず殺菌水を生成させていない。そのため、ノズル４７３の胴体は、吐水部４７９から噴射された水により物理的に洗浄される。
【００９５】
このときにも、吐水部４７９に接続された流路２０の内部に保持されていた殺菌水は、新たに供給される水により置換され排水される。なお、水による胴体洗浄の実行時間は、例えば約２秒程度である。
【００９６】
続いて、制御部４０５は、流量切替弁４７１および流路切替弁４７２を制御することにより「おしり洗浄」用の吐水口４７４から水を噴射させ、便座２００に着座した使用者の「おしり」を洗浄させる（タイミングｔ２０６〜ｔ２０７）。このとき、制御部４０５は、電解槽ユニット４５０には通電させず殺菌水を生成させていない。また、流路２０の内部に保持されていた殺菌水は、タイミングｔ２０４〜ｔ２０６において、新たに供給される水により置換され排水されている。そのため、殺菌水が使用者の局部に噴射されることはない。
【００９７】
続いて、使用者が図示しない「止スイッチ」を押すと、制御部４０５は、電解槽ユニット４５０への通電を開始させ、電解槽ユニット４５０において殺菌水を生成させる（タイミングｔ２０７）。さらに、制御部４０５は、流量切替弁４７１および流路切替弁４７２を制御することによりノズル洗浄室４７８に設けられた吐水部４７９から殺菌水を噴射させつつ、ノズル４７３をケーシング４００内に収納させる（タイミングｔ２０７〜ｔ２０８）。つまり、制御部４０５は、電解槽ユニット４５０に通電させて殺菌水を生成させ、吐水部４７９から噴射された殺菌水によりノズル４７３の「胴体洗浄」を実行させる（タイミングｔ２０７〜ｔ２０８）。これにより、流路２０の内部およびノズル４７３の外周表面は、殺菌水により殺菌される。なお、殺菌水による胴体洗浄の実行時間は、例えば約２秒程度である。
【００９８】
続いて、ノズル４７３がケーシング４００に収納された状態において、制御部４０５は、流量切替弁４７１および流路切替弁４７２を制御することにより、複数の全ての吐水口４７４から殺菌水を吐水させ、それらの吐水口４７４の「後洗浄」を実行させる（タイミングｔ２０８〜ｔ２０９）。つまり、制御部４０５は、電解槽ユニット４５０に通電させて殺菌水を生成させ、吐水口４７４から噴射された殺菌水により吐水口４７４の部分の後洗浄を実行させる（タイミングｔ２０８〜ｔ２０９）。これにより、流路２０の内部および吐水口４７４の部分は、殺菌水により殺菌される。なお、殺菌水による前洗浄の実行時間は、例えば約３秒程度である。
【００９９】
続いて、制御部４０５は、電解槽ユニット４５０への通電を停止させる（タイミングｔ２０９）。そして、所定時間が経過すると、制御部４０５は、電磁弁４３１を閉じる制御を実行する（タイミングｔ２１０）。つまり、制御部４０５は、殺菌水の供給を停止する際に、電解槽ユニット４５０への通電を停止させた後に、電磁弁４３１から供給される水を電解槽ユニット４５０へ所定時間通水させる。これにより、制御部４０５が電解槽ユニット４５０への通電を停止させた後、陰極板４５５の近傍の水域は、電磁弁４３１から供給される水により攪拌される。そのため、陰極板４５５の近傍の水域のｐＨは、低下する。これにより、スケールの発生を抑制することができる。
【０１００】
タイミングｔ２０９とタイミングｔ２１０との間の所定時間は、図２に関して前述したように、例えば、電解槽ユニット４５０内に残留する殺菌水が電磁弁４３１から供給される水に置換される時間である。あるいは、タイミングｔ２０９とタイミングｔ２１０との間の時間は、電解槽ユニット４５０の陰極板４５５の近傍の水域が攪拌される時間である。
【０１０１】
そのため、電解槽ユニット４５０において生成された殺菌水は、流路２０の少なくとも一部に所定時間保持される（タイミングｔ２１０〜ｔ２１１）。これにより、使用者が「おしり洗浄」を実行した後において、流路２０の内部を殺菌することができる。そして、ここにいう所定時間とは、例えば約６０分程度である。このように、本実施形態にかかる衛生洗浄装置１００は、流路２０の少なくとも一部に殺菌水をより長い時間保持するため、流路２０の内部に生存する細菌をより確実に殺菌することができる。
【０１０２】
続いて、所定時間が経過すると、制御部４０５は、「水抜き」を実行させる（タイミングｔ２１１〜ｔ２１２）。つまり、制御部４０５は、流路２０の内部の殺菌水を抜き、流路２０の内部を空にさせる。この「水抜き」の実行時間は、例えば約６０秒程度である。
【０１０３】
図１１は、本実施形態にかかる衛生洗浄装置の動作と流路の状態とのさらに他の具体例を表すタイミングチャート図である。  
まず、制御部４０５は、入室検知センサ４０２や人体検知センサ４０３や着座検知センサ４０４などの人体検知手段が人体を検知すると、電解槽ユニット４５０への通電を開始させ、電解槽ユニット４５０において殺菌水を生成させる（タイミングｔ３０１）。さらに、制御部４０５は、電磁弁４３１を開く制御を実行し、電解槽ユニット４５０よりも下流側の流路２０に殺菌水を供給させる（タイミングｔ３０１）。これにより、電解槽ユニット４５０よりも下流側の流路２０は、殺菌水により満たされ殺菌される。また、制御部４０５は、流量切替弁４７１および流路切替弁４７２を制御することにより、複数の全ての吐水口４７４から殺菌水を吐水させている。そのため、電解槽ユニット４５０よりも下流側の流路２０の内部および吐水口４７４の部分は、殺菌水により殺菌される。
【０１０４】
続いて、着座検知センサ４０４が便座２００に着座した使用者を検知すると、制御部４０５は、電解槽ユニット４５０への通電を停止させ、電解槽ユニット４５０よりも下流側の流路２０に上水を供給させる（タイミングｔ３０２）。これにより、電解槽ユニット４５０よりも下流側の流路２０内の殺菌水は、便器８００のボウル８０１に排出される。このとき、衛生洗浄装置１００は、温水ヒータ４４１を動作させる。つまり、衛生洗浄装置１００は、温水ヒータ４４１を動作させ、吐水口４７４から水を排出させる温水準備を開始する（タイミングｔ３０２）。なお、温水準備の実行時間は、例えば約１０〜１５秒程度である。
【０１０５】
続いて、制御部４０５は、温水準備の動作を終了すると、電解槽ユニット４５０への通電を開始させ、電解槽ユニット４５０において殺菌水を生成させる（タイミングｔ３０３）。そして、制御部４０５は、流量切替弁４７１および流路切替弁４７２を制御することにより、複数の全ての吐水口４７４から殺菌水を吐水させる。このとき、殺菌水が吐水口４７４から吐水されているため、電解槽ユニット４５０よりも下流側の流路２０の内部および吐水口４７４の部分は、殺菌水により殺菌される。なお、ここでの殺菌水は、温水準備で加温された流路が冷めないように加温された殺菌水としている。
【０１０６】
続いて、制御部４０５は、電解槽ユニット４５０への通電を停止させる（タイミングｔ３０４）。そして、所定時間が経過すると、制御部４０５は、電磁弁４３１を閉じる制御を実行する（タイミングｔ３０５）。つまり、制御部４０５は、殺菌水の供給を停止する際に、電解槽ユニット４５０への通電を停止させた後に、電磁弁４３１から供給される水を電解槽ユニット４５０へ所定時間通水させる。これにより、制御部４０５が電解槽ユニット４５０への通電を停止させた後、陰極板４５５の近傍の水域は、電磁弁４３１から供給される水により攪拌される。そのため、陰極板４５５の近傍の水域のｐＨは、低下する。これにより、スケールの発生を抑制することができる。
【０１０７】
タイミングｔ３０４とタイミングｔ３０５との間の所定時間は、図２に関して前述したように、例えば、電解槽ユニット４５０内に残留する殺菌水が電磁弁４３１から供給される水に置換される時間である。あるいは、タイミングｔ３０４とタイミングｔ３０５との間の時間は、電解槽ユニット４５０の陰極板４５５の近傍の水域が攪拌される時間である。
【０１０８】
そのため、電解槽ユニット４５０において生成された殺菌水は、流路２０の内部に所定時間保持される（タイミングｔ３０５〜ｔ３０６）。これにより、使用者が「おしり洗浄」を実行する前において、流路２０の内部を殺菌することができる。なお、殺菌水が流路２０の内部に保持される所定時間（タイミングｔ３０５〜ｔ３０６の間の時間）は、例えば使用者の用便行為の時間などにより変化する。
【０１０９】
続いて、タイミングｔ３０６〜ｔ３１４の動作は、図１０に関して前述した具体例のタイミングｔ２０４〜ｔ２１２の動作と同様である。
【０１１０】
図１２は、本実施形態にかかる衛生洗浄装置のさらに他の動作を説明するための概念模式図である。  
また、図１３は、図１２に表した衛生洗浄装置の動作の具体例を表すタイミングチャート図である。  
なお、図１２は、使用者がトイレ室に入室してから退室するまでの動作、およびそのときの衛生洗浄装置の動作の一例を時系列として表している。
【０１１１】
図１２に表したように、使用者がトイレ室に入室すると、入室検知センサ４０２は、例えばトイレ室のドアを開けて入室した直後の使用者を検知する（タイミングｔ１）。続いて、使用者が便座２００に着座すると、着座検知センサ４０４は、例えば便座２００に着座した使用者を検知する（タイミングｔ２）。続いて、使用者は、操作部５００に設けられた図示しないおしり洗浄スイッチなどを押すことにより、例えば「おしり」などの身体を洗浄する（タイミングｔ３）。続いて、使用者が便座２００から離座すると、着座検知センサ４０４は、便座２００に着座した使用者を検知しなくなる（タイミングｔ４）。続いて、使用者がトイレ室から退室すると、入室検知センサ４０２は、トイレ室内の使用者を検知しなくなる（タイミングｔ５）。
【０１１２】
本具体例では、使用者は、好みのタイミングで図示しない殺菌スイッチを押してノズル４７３の殺菌を指示することにより、ノズル４７３の殺菌を行うことができる。すなわち、使用者がノズル４７３の殺菌を指示するタイミングは、入室検知センサ４０２が使用者を検知してから着座検知センサ４０４が使用者を検知するまでの期間Ｔ１であってもよい。あるいは、そのタイミングは、着座検知センサ４０４が使用者を検知してから使用者が身体洗浄を指示するまでの期間Ｔ２であってもよい。あるいは、そのタイミングは、使用者が身体洗浄を指示してから着座検知センサ４０４が使用者を検知しなくなるまでの期間Ｔ３であってもよい。あるいは、そのタイミングは、着座検知センサ４０４が使用者を検知しなくなってから入室検知センサ４０２が使用者を検知しなくなるまでの期間Ｔ４であってもよい。
【０１１３】
そして、使用者が期間Ｔ１、Ｔ２、Ｔ３、Ｔ４の少なくともいずれかのタイミングで図示しない殺菌スイッチを押すと、本実施形態の制御部４０５は、図１３に表したように、電解槽ユニット４５０への通電を開始させ、電解槽ユニット４５０において殺菌水を生成させる（タイミングｔ４０１）。さらに、制御部４０５は、電磁弁４３１を開く制御を実行し、電解槽ユニット４５０よりも下流側の流路２０に殺菌水を供給させる（タイミングｔ４０１）。これにより、電解槽ユニット４５０よりも下流側の流路２０や、ノズル４７３の吐水口４７４の部分や、ノズル４７３の外周表面などが殺菌水により殺菌される。
【０１１４】
続いて、制御部４０５は、電解槽ユニット４５０への通電を停止させる（タイミングｔ４０２）。そして、所定時間が経過すると、制御部４０５は、電磁弁４３１を閉じる制御を実行する（タイミングｔ４０３）。つまり、制御部４０５は、殺菌水の供給を停止する際に、電解槽ユニット４５０への通電を停止させた後に、電磁弁４３１から供給される水を電解槽ユニット４５０へ所定時間通水させる。これにより、制御部４０５が電解槽ユニット４５０への通電を停止させた後、陰極板４５５の近傍の水域は、電磁弁４３１から供給される水により攪拌される。そのため、陰極板４５５の近傍の水域のｐＨは、低下する。これにより、スケールの発生を抑制することができる。
【０１１５】
タイミングｔ４０２とタイミングｔ４０３との間の所定時間は、図２に関して前述したように、例えば、電解槽ユニット４５０内に残留する殺菌水が電磁弁４３１から供給される水に置換される時間である。あるいは、タイミングｔ４０２とタイミングｔ４０３との間の時間は、電解槽ユニット４５０の陰極板４５５の近傍の水域が攪拌される時間である。
【０１１６】
本具体例によれば、使用者は、好みのタイミングで殺菌スイッチを押してノズル４７３の殺菌を指示することにより、ノズル４７３の殺菌を行うことができる。例えば、使用者は、便座２００に着座する前に殺菌スイッチを押すことによりノズル４７３の殺菌を行うことができる（期間Ｔ１）。そのため、使用者は、衛生洗浄装置１００を使用する前に予めノズル４７３を殺菌しておくことができる。あるいは、例えば、使用者は、便座２００に着座した状態で身体洗浄を行う前に殺菌スイッチを押すことによりノズル４７３の殺菌を行うことができる（期間Ｔ２）。そのため、使用者は、便座２００に着座した状態のままで身体洗浄を行う前に予めノズル４７３を殺菌しておくことができる。これにより、使用者は、より清潔な状態のノズル４７３を使用して身体洗浄を行うことができる。
【０１１７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、殺菌装置４０、衛生洗浄装置１００、および電解槽ユニット４５０などが備える各要素の形状、寸法、材質、配置などやノズル４７３やノズル洗浄室４７８の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１１８】
１０ 給水源、  ２０ 流路、  ４０ 殺菌装置、  １００ 衛生洗浄装置、  ２００ 便座、  ３００ 便蓋、  ３１０ 透過窓、  ４００ ケーシング、  ４０１ 電源回路、  ４０２ 入室検知センサ、  ４０３ 人体検知センサ、  ４０４ 着座検知センサ、  ４０５ 制御部、  ４０７ 排気口、  ４０８ 排出口、  ４０９ 凹設部、  ４３１ 電磁弁、  ４４０ 熱交換器ユニット、  ４４１ 温水ヒータ、  ４５０ 電解槽ユニット、  ４５１ 第１の蓋部材、  ４５１ａ 流入部、  ４５２ 第２の蓋部材、  ４５２ａ 流出部、  ４５４ 陽極板、  ４５４ａ 接続端子、  ４５５ 陰極板、  ４５７ スペーサ、  ４６０ 圧力変調装置、  ４７０ ノズルユニット、  ４７１ 流量切替弁、  ４７２ 流路切替弁、  ４７３ ノズル、  ４７４ 吐水口、  ４７５ 取付台、  ４７６ ノズルモータ、  ４７７ 伝動部材、  ４７８ ノズル洗浄室、  ４７９ 吐水部、  ５００ 操作部、  ８００ 便器、  ８０１ ボウル
【図１】
0005678540.tif 000002
【図２】
0005678540.tif 000003
【図３】
0005678540.tif 000004
【図４】
0005678540.tif 000005
【図５】
0005678540.tif 000006
【図６】
0005678540.tif 000007
【図７】
0005678540.tif 000008
【図８】
0005678540.tif 000009
【図９】
0005678540.tif 000010
【図１０】
0005678540.tif 000011
【図１１】
0005678540.tif 000012
【図１２】
0005678540.tif 000013
【図１３】
0005678540.tif 000014